(57)【特許請求の範囲】
【請求項１】
状況に対応付けてアプリケーションの出力方針を規定した出力ポリシーデータを格納する出力ポリシーデータ格納手段（６０）と、
車両の現在の状況を特定する現在状況特定手段（３１）と、
前記現在状況特定手段が特定した状況に対応する前記出力方針を前記出力ポリシーデータから抽出する出力方針抽出手段（３２）と、
アプリケーションから出力要求を受けると、そのアプリケーションが要求する複数の出力パターンのうち、前記出力方針抽出手段が抽出した前記出力方針により出力可能な出力パターンを特定する出力パターン特定手段（３３）と、
前記出力要求を行った前記アプリケーションが生成する情報を、前記出力パターン特定手段が特定した前記出力パターンにより出力する情報出力手段（５１）と、
アプリケーションの優先度を規定した優先度データを格納する優先度データ格納手段（７０）と、
を備え、
前記出力パターン特定手段が複数の前記アプリケーションに対してそれぞれ前記出力パターンを特定した場合において、それら出力パターンが一致する場合には、前記情報出力手段は、前記優先度データに基づいて最も優先度が高い前記アプリケーションを高優先度アプリケーションとして特定し、その高優先度アプリケーションが生成する情報を、当該高優先度アプリケーションに対して特定された前記出力パターンにより出力するとともに、
前記情報出力手段は、前記高優先度アプリケーション以外のアプリケーションである低優先度アプリケーションに対して複数の前記出力パターンが特定されている場合には、その低優先度アプリケーションが生成する情報を、前記高優先度アプリケーションに対して特定された前記出力パターン以外の出力パターンにより出力する車両用情報出力装置。
【請求項２】
前記出力方針は、少なくとも、前記アプリケーションが生成する情報を出力するデバイスを規定する請求項１に記載の車両用情報出力装置。
【請求項３】
前記出力パターンは、少なくとも、前記アプリケーションが生成する情報を出力するデバイスを要求するものである請求項１または２に記載の車両用情報出力装置。
【発明の詳細な説明】
【技術分野】
【０００１】
本発明は、アプリケーションが生成する情報を出力する車両用情報出力装置に関する。
【背景技術】
【０００２】
例えば特許文献１に開示されている装置は、車両の走行状態と受信した情報の種別とに対応付けてディスプレイの表示態様を規定した制御テーブルを有し、走行状態と情報種別に基づいてディスプレイの表示態様を制御する。
【先行技術文献】
【特許文献】
【０００３】
【特許文献１】特開２００９−２８１９９１号公報
【発明の概要】
【発明が解決しようとする課題】
【０００４】
しかし、特許文献１に開示されている制御テーブルは、１組の走行状態および情報種別の組み合わせに対応付けて１種類の表示態様を規定したいわゆるマトリクス構造を有している。そのため、結局のところ、ディスプレイへの情報の出力は、制御テーブルに予め規定されている表示態様でしか表示することができず、場合によっては、車両の走行状態や情報種別に適していない表示態様で情報が出力されてしまうおそれがある。
そこで、本発明は、車両の現在状況により適した出力パターンにより情報を出力することができる車両用情報出力装置を提供する。
【課題を解決するための手段】
【０００５】
本発明に係る車両用情報出力装置によれば、出力ポリシーデータ格納手段は、状況に対応付けてアプリケーションの出力方針を規定した出力ポリシーデータを格納する。現在状況特定手段は、車両の現在の状況を特定する。出力方針抽出手段は、現在状況特定手段が特定した状況に対応する出力方針を出力ポリシーデータから抽出する。出力パターン特定手段は、アプリケーションから出力要求を受けると、そのアプリケーションが要求する複数の出力パターンのうち、出力方針抽出手段が抽出した出力方針により出力可能な出力パターンを特定する。情報出力手段は、出力要求を行ったアプリケーションが生成する情報を、出力パターン特定手段が特定した出力パターンにより出力する。
【０００６】
この構成によれば、出力要求を行ったアプリケーションが要求する複数の出力パターンのうち車両の現在状況に適した出力パターンが選択され、その選択された出力パターンにより、アプリケーションが生成する情報が出力されるようになる。これにより、車両の現在状況により適した出力パターンにより情報を出力することができる。
【図面の簡単な説明】
【０００７】
【図１】一実施形態に係る車両用情報出力装置の構成例を概略的に示すブロック図
【図２】プロファイルデータの一例を示す図
【図３】デバイスポリシーデータの一例を示す図
【図４】アプリポリシーデータの一例を示す図
【図５】属性データの一例を示す図
【図６】車両用情報出力装置による情報出力動作の一例を説明するためのブロック図
【図７】車両用情報出力装置による情報出力動作の一例を示すフローチャート
【発明を実施するための形態】
【０００８】
以下、車両用情報出力装置に係る一実施形態について図面を参照しながら説明する。図１に例示する車両用情報出力装置１０は、車両に搭載されるものであり、制御装置で構成されるデバイスマネージャ１１を主体として構成されている。以下、車両用情報出力装置１０を単に「情報出力装置１０」と称する。情報出力装置１０は、例えば、図示しない操作部を介してユーザ操作によりアプリケーションの実行指令が入力されると、そのアプリケーションが生成する各種の情報を、情報出力用のデバイスから出力する構成である。車両に搭載される情報出力用のデバイスとしては種々のデバイスが考えられる。この場合、車両には、情報出力用のデバイスの一例として、表示出力系のデバイスであるヘッドアップディスプレイ１０１およびセンターディスプレイ１０２と、音声出力系のデバイスであるスピーカ１０３が備えられている。以下、ヘッドアップディスプレイ１０１を「ＨＵＤ１０１」と称する。
デバイスマネージャ１１は、図示しないＣＰＵにより制御プログラムを実行することにより、情報出力調整部１２および情報出力変換部１３をソフトウェアにより仮想的に実現している。なお、情報出力調整部１２および情報出力変換部１３はハードウェアにより実現してもよい。
【０００９】
情報出力調整部１２は、可否判定部３０および調整部４０を備える。可否判定部３０には、プロファイルデータ格納部５０およびデバイスポリシーデータ格納部６０が接続されている。プロファイルデータ格納部５０は、車両の現在の状況を示すプロファイルデータを格納しているデータベースである。図２に例示するように、プロファイルデータは、車両の状態を示す大項目として、この場合、「場所」、「走行状態」、「目的地」、「予定」、「日程」、「同乗者」、「気候」、「時間」などといった各種の項目を規定している。これら項目のパラメータは、車両が備える図示しないナビゲーション機能部、車速センサ、角速度センサ、着座センサなどといった各種のセンサ類、情報出力装置１０と通信可能に接続される外部の情報提供サーバなどから得られる各種の情報などに基づいて設定される。このプロファイルデータの内容は、常時あるいは定期的に最新の状態に書き換えられる。これにより、このプロファイルデータに基づけば、例えば車両の現在位置や走行状態などといった車両の現在の状況を特定することが可能となっている。
【００１０】
デバイスポリシーデータ格納部６０は、出力ポリシーデータ格納手段の一例であり、状況に対応付けてアプリケーションの出力方針を規定したデバイスポリシーデータを格納しているデータベースである。デバイスポリシーデータは、出力ポリシーデータの一例である。図３に例示するように、デバイスポリシーデータは、各種の状況に対応付けてアプリケーションの出力方針を規定している。この場合、デバイスポリシーデータ［１］は、車両が「６０ｋｍ／ｈ以上で走行」しているという状況に対応付けて、「表示に係る情報の出力先はＨＵＤのみ」という出力方針を規定している。なお、表示に係る情報とは、例えば画像情報や映像情報などといった視覚的に認識される各種の情報である。また、デバイスポリシーデータ［２］は、車両が「右折中」という状況に対応付けて、「情報の出力先を変更しない」という出力方針を規定している。このように、デバイスポリシーデータに規定されている出力方針は、アプリケーションが生成する情報を出力するデバイスを規定するものとなっている。また、図示はしないが、デバイスポリシーデータは、例えば、聴覚的に認識される音声に係る情報の出力先を規定するものなど、種々の内容で規定することができる。
【００１１】
調整部４０には、アプリポリシーデータ格納部７０が接続されている。アプリポリシーデータ格納部７０は、優先度データ格納手段の一例であり、アプリケーションの優先度を規定したアプリポリシーデータを格納しているデータベースである。アプリポリシーデータは、優先度データの一例である。図４に例示するように、アプリポリシーデータは、各種のアプリケーションの優先度をそれぞれ規定している。この場合、緊急通報を出力するアプリケーションの優先度が最も高く、例えばテレビ映像などといった動画を出力するアプリケーションの優先度が最も低く設定されている。
【００１２】
可否判定部３０は、現在状況特定部３１、出力方針抽出部３２、出力パターン特定部３３を備える。現在状況特定部３１は、現在状況特定手段の一例であり、プロファイルデータ格納部５０から得られるプロファイルデータに基づいて、車両の現在の状況を特定する。出力方針抽出部３２は、出力方針抽出手段の一例であり、デバイスポリシーデータ格納部６０にアクセスして、現在状況特定部３１により特定された車両の現在状況に対応する出力方針を出力ポリシーデータから抽出する。出力パターン特定部３３は、出力パターン特定手段の一例であり、アプリケーションから出力要求を受けると、そのアプリケーションが要求する複数の出力パターンのうち、出力方針抽出部３２が抽出した出力方針により出力可能な出力パターンを特定する。
【００１３】
各アプリケーションは、それぞれ属性データを有しており、実行指令が入力されると、自身の属性データに基づいて情報出力調整部１２に出力パターンを出力する。図５に例示するように、いわゆるナビゲーション機能を実行するナビアプリケーションの属性データには、この場合、３つの出力パターンが規定されている。なお、１つの属性データに規定できる出力パターンの数は適宜変更することができる。
【００１４】
各出力パターンは、複数の項目により規定される。この場合、「出力先」項目は、アプリケーションが生成する情報の出力先を特定する。即ち、「出力先」項目は、アプリケーションが生成する情報を出力するデバイスを要求する項目となっている。「依存関係」項目は、アプリケーションが生成する情報の出力先を複数要求する場合において、各出力先に情報を同時に出力する必要があるか否かを指定する。例えば出力パターンＮ２では、「出力先」項目で２つのデバイスが指定されており、「依存関係」項目で「あり」が指定されている。そのため、出力パターンＮ２によれば、２つのデバイスに情報を同時に出力することが要求される。
【００１５】
「出力要因」項目は、アプリケーションが出力パターンを出力するトリガを規定するものである。例えば「出力要因」項目で「ユーザ操作」が指定されている場合には、アプリケーションは、ユーザ操作により実行指令が入力されたこと、つまり起動されたことをトリガとして出力パターンを出力する。なお、「ユーザ操作」以外の出力要因としては、例えば、車両の現在状況の変化に伴い情報出力装置１０が自動的に生成するシステムトリガが入力されたこと、既に実行されている他のアプリケーションから実行指令が入力されたことなど、種々の要因が考えられる。
【００１６】
「割込み」項目は、アプリケーションが生成する情報を、既に実行されている他のアプリケーションが出力する情報にオーバラップさせて出力することを許容するか否かを指定する。即ち、例えば、アプリケーションが生成する画面情報を、既に実行されている他のアプリケーションが出力する画面情報上にオンスクリーン表示する場合などを想定している。「割込み」項目で「Ｆａｌｓｅ」が規定されている場合には、アプリケーションが生成する情報を、既に実行されている他のアプリケーションが出力する情報にオーバラップさせて出力することが禁止される。逆に、「割込み」項目で「Ｔｒｕｅ」が規定されている場合には、アプリケーションが生成する情報を、既に実行されている他のアプリケーションが出力する情報にオーバラップさせて出力することが許容される。
【００１７】
「出力優先度」項目は、同じ属性データに含まれる複数の出力パターンの優先度を設定したものである。なお、優先度の設定は、数値が大きいほど優先度が高いという設定例としてもよいし、数値が小さいほど優先度が高いという設定例としてもよい。
調整部４０は、情報出力部５１を備える。情報出力部５１は、情報出力手段の一例であり、出力要求を行ったアプリケーションが生成する情報を、出力パターン特定部３３が特定した出力パターンにより各デバイスから出力するための各種の調整処理を実行する。
【００１８】
次に、情報出力装置１０による情報出力動作の一例について説明する。ここでは、例えば、既にラジオアプリケーションが実行されており、且つ、車両が７５ｋｍ／ｈで高速道路を直進しているときに、ユーザ操作によりナビアプリケーションが起動された状況における情報出力動作を説明する。
【００１９】
（可否判定部による動作）
図６に例示するように、可否判定部３０は、プロファイルデータに基づいて車両の現在状況を常時あるいは定期的に確認している。この場合、車両が７５ｋｍ／ｈで高速道路を直進しているので、可否判定部３０は、車両が「６０ｋｍ／ｈ以上で走行」しており、且つ、「直進」しているという状況を特定する。そして、可否判定部３０は、特定した車両の現在状況に対応する出力方針をデバイスポリシーデータから抽出する。この場合、車両が「６０ｋｍ／ｈ以上で走行」しているので、デバイスポリシーデータ［１］の「表示に係る情報の出力先はＨＵＤのみ」という出力方針が出力される。しかし、車両が「直進中」であり「右折中」ではないので、デバイスポリシーデータ［２］の「情報の出力先を変更しない」という出力方針は抽出されない。
【００２０】
また、この場合、可否判定部３０には、複数のアプリケーションから出力要求が入力されている。即ち、可否判定部３０には、既に実行されているラジオアプリケーションからの出力要求と、ユーザ操作により新たに起動されたナビアプリケーションからの出力要求が入力されている。
ラジオアプリケーションが要求する出力パターンは、情報の出力先をＨＵＤ１０１およびスピーカ１０３とする出力パターンＲ１と、情報の出力先をスピーカ１０３のみとする出力パターンＲ２である。即ち、出力パターンＲ１は、ラジオアプリケーションが生成する表示系の情報をＨＵＤ１０１から出力し、音声系の情報をスピーカ１０３から出力する出力パターンである。出力パターンＲ２は、ラジオアプリケーションが生成する音声系の情報をスピーカ１０３から出力する出力パターンである。なお、出力パターンＲ２は、ラジオアプリケーションが生成する表示系の情報の出力先については規定していない。
【００２１】
また、ナビアプリケーションが要求する出力パターンは、情報の出力先をＨＵＤ１０１のみとする出力パターンＮ１と、情報の出力先をＨＵＤ１０１およびセンターディスプレイ１０２とする出力パターンＮ２と、情報の出力先をセンターディスプレイ１０２のみとする出力パターンＮ３である。即ち、出力パターンＮ１は、ナビアプリケーションが生成する表示系の情報をＨＵＤ１０１のみから出力する出力パターンである。なお、出力パターンＮ１は、ナビアプリケーションが生成する音声系の情報の出力先については規定していない。出力パターンＮ２は、ナビアプリケーションが生成する表示系の情報をＨＵＤ１０１およびセンターディスプレイ１０２の双方から出力する出力パターンである。なお、出力パターンＮ２は、ナビアプリケーションが生成する音声系の情報の出力先については規定していない。出力パターンＮ３は、ナビアプリケーションが生成する情報をセンターディスプレイ１０２のみから出力する出力パターンである。なお、出力パターンＮ３は、ナビアプリケーションが生成する音声系の情報の出力先については規定していない。
【００２２】
可否判定部３０は、アプリケーションから出力要求を受けると、そのアプリケーションが要求する複数の出力パターンのうち、抽出した出力方針により出力可能な出力パターンを特定する。この場合、出力方針として「表示に係る情報の出力先はＨＵＤのみ」という方針が抽出されている。そのため、可否判定部３０は、ラジオアプリケーションが要求する出力パターンＲ１，Ｒ２およびナビアプリケーションが出力する出力パターンＮ１，Ｎ２，Ｎ３のうち、「表示に係る情報の出力先はＨＵＤのみ」という出力方針により出力可能な出力パターンを「可」と判定し、出力不能な出力パターンを「否」と判定する。
【００２３】
具体的には、出力パターンＲ１は、表示に係る情報はＨＵＤ１０１から出力し、音声に係る情報はスピーカ１０３から出力するという出力パターンである。そのため、出力パターンＲ１は、抽出された出力方針により出力可能な出力パターンであり、「可」と判定される。また、出力パターンＲ２は、音声に係る情報をスピーカ１０３から出力する出力パターンであり、表示に係る情報を出力する出力パターンではない。即ち、「表示に係る情報の出力先はＨＵＤのみ」という出力方針によっても音声に係る情報は出力可能であることから、この出力パターンＮ２も「可」と判定される。
【００２４】
出力パターンＮ１は、表示に係る情報をＨＵＤ１０１から出力するという出力パターンである。そのため、出力パターンＮ１は、抽出された出力方針により出力可能な出力パターンであり、「可」と判定される。出力パターンＮ２は、表示に係る情報をＨＵＤ１０１およびセンターディスプレイ１０２から出力するという出力パターンである。そのため、出力パターンＮ２は、抽出された出力方針では出力することができない出力パターンであり、「否」と判定される。出力パターンＮ３は、表示に係る情報をセンターディスプレイ１０２から出力するという出力パターンである。そのため、出力パターンＮ３は、抽出された出力方針では出力することができない出力パターンであり、「否」と判定される。
【００２５】
（調整部による動作）
上述の可否判定部３０による動作例によれば、表示に係る情報をＨＵＤ１０１から出力するラジオアプリケーションの出力パターンＲ１と、同じく表示に係る情報をＨＵＤ１０１から出力するナビアプリケーションの出力パターンＮ１とが、何れも「可」と判定されている。即ち、両出力パターンＲ１，Ｎ１が要求する出力先のデバイスが一致している。このような場合には、調整部４０による出力パターンの調整処理が行われる。
即ち、調整部４０は、アプリポリシーデータに基づいて、ラジオアプリケーションおよびナビアプリケーションのうち、より優先度が高いアプリケーションを高優先度アプリケーションとして設定し、より優先度が低いアプリケーションを低優先度アプリケーションとして設定する。この場合、より高い優先度「３」が設定されているナビアプリケーションが高優先度アプリケーションとして設定され、より低い優先度「２」が設定されているラジオアプリケーションが低優先度アプリケーションとして設定される。
【００２６】
そして、調整部４０は、ナビアプリケーションの出力パターンＮ１の可否判定結果は「可」のまま維持し、ラジオアプリケーションの出力パターンＲ１の可否判定結果は「否」に変更する。この場合、ナビアプリケーション以外のアプリケーションであるラジオアプリケーションに対しては、出力パターンＲ１のみならず出力パターンＲ２も「可」と判定されている。そのため、調整部４０は、出力パターンＲ２の判定結果は「可」のまま維持する。これにより、調整部４０は、ラジオアプリケーションの出力パターンを出力パターンＲ１から出力パターンＲ２に調整する。そして、調整部４０は、情報出力変換部１３に、ナビアプリケーションの出力パターンとして出力パターンＮ１を出力し、ラジオアプリケーションの出力パターンとして出力パターンＲ２を出力する。
【００２７】
（アプリケーションに対するフィードバック動作）
上述の可否判定部３０および調整部４０による動作例によれば、ナビアプリケーションの出力パターンとして出力パターンＮ１が特定され、ラジオアプリケーションの出力パターンとして出力パターンＲ２が特定される。そのため、情報出力調整部１２は、ナビアプリケーションに対しては出力パターンＮ１による出力が可能である旨を示す出力応答データを送信する。また、情報出力調整部１２は、ラジオアプリケーションに対しては出力パターンＲ２による出力が可能である旨を示す出力応答データを送信する。
【００２８】
各アプリケーションは、それぞれ受信した出力応答データに基づいて、自身が要求する出力パターンのうち、出力可能と判定されている出力パターンを特定する。そして、各アプリケーションは、実行に伴い生成する情報を、特定した出力パターンによる出力が可能となるように適宜調整する。即ち、各アプリケーションは、実行に伴い生成する情報を、特定した出力パターンが指定するデバイスへの出力に適したデータ形式に変換する。そして、各アプリケーションは、調整した情報を、情報出力調整部１２を介して情報出力変換部１３に出力する。
【００２９】
（情報出力変換部による動作）
情報出力変換部１３は、各アプリケーションから調整後の情報が入力されると、その情報を、各アプリケーションに対し特定された出力パターンが指定するデバイスへの出力に適したデータ形式に変換する。即ち、情報出力変換部１３は、各アプリケーションに対し特定された出力パターンにより指定される出力先デバイスがＨＵＤ１０１である場合には、アプリケーションが生成する画像データをＨＵＤ１０１用の画像データに変換してＨＵＤ１０１に与える。また、情報出力変換部１３は、出力パターンにより指定される出力先デバイスがセンターディスプレイ１０２である場合には、アプリケーションが生成する画像データをセンターディスプレイ１０２用の画像データに変換してセンターディスプレイ１０２に与える。また、情報出力変換部１３は、出力パターンにより指定される出力先デバイスがスピーカ１０３である場合には、アプリケーションが生成する音声データをスピーカ１０３用の音声データに変換してスピーカ１０３に与える。
【００３０】
これにより、各アプリケーションが生成する画像情報や音声情報が、特定された出力パターンにより指定されるデバイスから出力されるようになる。なお、情報出力変換部１３による変換処理は、情報の出力先となるデバイスに応じてデータを変換する一般的な変換処理を採用することができる。また、上述した各アプリケーションが行う情報の変換処理では、各アプリケーションに十分な変換機能が備えられていない場合もあることから、情報の変換が不十分となるおそれがある。本実施形態によれば、情報出力変換部１３による最終的な変換処理により、各アプリケーションが生成する情報を、確実に各デバイスに適したデータ形式にすることができる。
【００３１】
次に、情報出力装置１０による情報出力動作の流れについて説明する。即ち、図７に例示するように、情報出力装置１０は、アプリケーションから出力要求を受けると（Ｓ１：ＹＥＳ）、既に実行中のアプリケーションが存在するか否かを確認する（Ｓ２）。既に実行中のアプリケーションが存在しない場合（Ｓ２：ＮＯ）、情報出力装置１０は、ステップＳ５に移行する。一方、既に実行中のアプリケーションが存在する場合（Ｓ２：ＹＥＳ）、情報出力装置１０は、実行中のアプリケーションの優先度とステップＳ１にて新たに出力要求を行ったアプリケーションの優先度を、アプリポリシーデータに基づいて比較する（Ｓ３）。
【００３２】
実行中のアプリケーションの優先度が新たに出力要求を行ったアプリケーションの優先度よりも高い場合（Ｓ３：ＹＥＳ）、情報出力装置１０は、新たに出力要求を行ったアプリケーションに対し、動作の停止あるいは待機を指令するための指令信号を送信する（Ｓ４）。これにより、実行中のアプリケーションからの情報の出力が維持され、新たに出力要求を行ったアプリケーションからの情報の出力は停止状態あるいは待機状態となる。即ち、優先度が高い例えば緊急通報アプリケーションの実行中において、それよりも優先度が低いアプリケーションが起動された場合には、優先度が高いアプリケーションによる情報つまり緊急情報の出力が維持される。一方、実行中のアプリケーションの優先度が出力要求を行ったアプリケーションの優先度以下である場合（Ｓ３：ＮＯ）、情報出力装置１０は、ステップＳ５に移行する。
【００３３】
情報出力装置１０は、ステップＳ５に移行すると、プロファイルデータに基づいて車両の現在状況を特定する。そして、情報出力装置１０は、特定した車両の現在状況に対応する出力方針をデバイスポリシーデータから抽出する（Ｓ６）。そして、情報出力装置１０は、出力要求を行ったアプリケーションが要求する複数の出力パターンのうち、抽出した出力方針により出力可能な出力パターンを特定する（Ｓ７）。そして、情報出力装置１０は、特定した出力パターンを、出力要求を行ったアプリケーションにフィードバックする（Ｓ８）。そして、情報出力装置１０は、出力要求を行ったアプリケーションが生成する情報を出力先のデバイスに適したデータ形式に変換し（Ｓ９）、特定した出力パターンにより指定されるデバイスから情報を出力する（Ｓ１０）。
【００３４】
情報出力装置１０によれば、出力要求を行ったアプリケーションが要求する複数の出力パターンのうち車両の現在状況に適した出力パターンが選択され、その選択された出力パターンにより、アプリケーションが生成する情報が出力されるようになる。これにより、車両の現在状況により適した出力パターンにより情報を出力することができる。
また、情報出力装置１０によれば、出力パターン特定部３３が複数のアプリケーションに対してそれぞれ出力パターンを特定した場合において、それら出力パターンが指定する出力先のデバイスが一致する場合には、優先度データに基づいて最も優先度が高いアプリケーションが高優先度アプリケーションとして特定される。そして、その高優先度アプリケーションが生成する情報は、当該高優先度アプリケーションに対して特定された出力パターンにより出力される。これにより、各アプリケーションが生成する情報の出力先となるデバイスが重複する場合には、そのデバイスからは、より優先度が高いアプリケーションが生成する情報を優先して出力することができる。
【００３５】
また、情報出力装置１０によれば、低優先度アプリケーションに対して複数の出力パターンが特定されている場合には、その低優先度アプリケーションが生成する情報を、高優先度アプリケーションに対して特定された出力パターン以外の出力パターンが指定するデバイスにより出力する。これにより、より優先度の高いアプリケーションが生成する情報の出力を優先させつつ、より優先度の低いアプリケーションが生成する情報の出力も行うことができる。
【００３６】
また、情報出力装置１０によれば、デバイスポリシーデータに格納する出力方針は、少なくとも、アプリケーションが生成する情報を出力するデバイスを規定するものであれば、その内容を適宜変更して実施することができる。
また、情報出力装置１０によれば、各アプリケーションが出力要求時に出力する出力パターンは、少なくとも、アプリケーションが生成する情報を出力するデバイスを要求するものであれば、その内容を適宜変更して実施することができる。
本発明は、上述した実施形態に限定されるものではなく、その要旨を逸脱しない範囲で種々の実施形態に適用可能である。例えば、プロファイルデータ、デバイスポリシーデータ、アプリポリシーデータに規定する内容やデータ構造などは適宜変更して実施することができる。
【符号の説明】
【００３７】
図面中、１０は車両用情報出力装置、６０はデバイスポリシーデータ格納部（出力ポリシーデータ格納手段）、３１は現在状況特定部（現在状況特定手段）、３２は出力方針抽出部（出力方針抽出手段）、３３は出力パターン特定部（出力パターン特定手段）、５１は情報出力部（情報出力手段）、７０はアプリポリシーデータ格納部（優先度データ格納手段）を示す。
【図１】
0006314759.tif 000002
【図２】
0006314759.tif 000003
【図３】
0006314759.tif 000004
【図４】
0006314759.tif 000005
【図５】
0006314759.tif 000006
【図６】
0006314759.tif 000007
【図７】
0006314759.tif 000008